(57)【要約】【課題】廃棄物収集車において、簡単且つ省スペースな構造で、廃棄物の収集と廃棄物の計量とを同時に行う。【解決手段】廃棄物収集車１の車体２上に後方開口部３を有する廃棄物収集箱４を搭載し、後方開口部３の後面に廃棄物投入箱７を設ける。廃棄物投入箱７内に投入口７ａから投入された廃棄物を廃棄物収集箱４に収集する昇降バケット１１を昇降及び反転可能に設ける。廃棄物投入箱７の下部に、この昇降バケット１１の質量を計量可能なバケット計量装置３０を設ける。【選択図】図１
2008308290.tif 000002
【特許請求の範囲】
【請求項１】
車体上に搭載され、後方開口部を有する廃棄物収集箱と、
該後方開口部の後面に設けた廃棄物投入箱と、
該廃棄物投入箱内に昇降及び反転可能に設けられ、該廃棄物投入箱の投入口から投入された廃棄物を上記廃棄物収集箱に収集する昇降バケットとを備えた廃棄物収集車であって、
上記廃棄物投入箱の下部に設けられ、上記昇降バケットの質量を計量可能なバケット計量装置を備えている
ことを特徴とする廃棄物収集車。
【請求項２】
請求項１に記載の廃棄物収集車において、
上記バケット計量装置は、
上記昇降バケットの質量を計量する計量器と、
上記計量器を昇降可能に支持するリフタとを有し、
該計量器は、昇降バケットの計量時に上昇して下降位置にある上記昇降バケットの質量を計量可能に構成されている
ことを特徴とする廃棄物収集車。
【請求項３】
請求項２に記載の廃棄物収集車において、
上記リフタは、
上方が開口したケーシングと、
上記ケーシングの開口を塞ぎ、上記計量器を支持する計量台と、
上記ケーシング内に設けられ、上記計量台を昇降させる昇降シリンダとを備えている
ことを特徴とする廃棄物収集車。
【請求項４】
請求項３に記載の廃棄物収集車において、
上記リフタは、
上記ケーシング内に設けたカム軸と、
一端が上記カム軸に回転一体に連結され、他端が上記昇降シリンダに回転可能に連結されたカム部材とを備え、該カム部材が揺動して上記計量台を昇降させるように構成されている
ことを特徴とする廃棄物収集車。
【発明の詳細な説明】
【技術分野】
【０００１】
本発明は、魚のあらなどの廃棄物を収集する廃棄物収集車に関するものである。
【背景技術】
【０００２】
従来より、車体上に搭載され、後方開口部を有する廃棄物収集箱と、この後方開口部の後面に設けた廃棄物投入箱と、この廃棄物投入箱内に昇降及び反転可能に設けられ、該廃棄物投入箱の投入口から投入された廃棄物を上記廃棄物収集箱に収集する昇降バケットとを備えた廃棄物収集車は知られている（例えば、特許文献１）。
【特許文献１】特開２００４−１８２１６号公報
【発明の開示】
【発明が解決しようとする課題】
【０００３】
ところで、廃棄物を廃棄したい業者は、廃棄物処理業者に単位質量当たり一定額の費用を払って廃棄物を収集を依頼する場合がある。
【０００４】
しかしながら、従来の廃棄物収集車では、スペース及び耐久性の問題で廃棄物投入箱内に計量装置が設けられておらず、廃棄物収集車とは別に別途計量器を用意する必要があった。このため、廃棄物の収集作業と廃棄物の計量作業とを別々に行わなければならず、効率が悪いという問題があった。
【０００５】
本発明は、かかる点に鑑みてなされたものであり、その目的とするところは、廃棄物投入箱内に昇降バケットの質量を計量する計量装置を設けることにより、簡単且つ省スペースな構造で、廃棄物の収集と廃棄物の計量とを同時に行うようにすることにある。
【課題を解決するための手段】
【０００６】
上記の目的を達成するために、この発明では、廃棄物投入箱の下部に昇降バケットの質量を計量可能なバケット計量装置を設けた。
【０００７】
具体的には、第１の発明では、車体上に搭載され、後方開口部を有する廃棄物収集箱と、
該後方開口部の後面に設けた廃棄物投入箱と、
該廃棄物投入箱内に昇降及び反転可能に設けられ、該廃棄物投入箱の投入口から投入された廃棄物を上記廃棄物収集箱に収集する昇降バケットとを備えた廃棄物収集車を対象とする。
【０００８】
上記廃棄物収集車は、上記廃棄物投入箱の下部に設けられ、上記昇降バケットの質量を計量可能なバケット計量装置を備えている。
【０００９】
上記の構成によると、廃棄物投入箱内のバケット計量装置によって、昇降バケットの質量を計量可能であるので、別途計量器を用意する必要がない。また、バケット計量装置を廃棄物投入箱内に設けたので、新たにスペースを必要とせず、廃棄物収集車の外形が大きくなることはない。さらに、このバケット計量装置によって、下端にある昇降バケットの質量を計量することにより、廃棄物の収集と廃棄物の計量とを同時に行える。
【００１０】
第２の発明では、第１の発明において、
上記バケット計量装置は、
上記昇降バケットの質量を計量する計量器と、
上記計量器を昇降可能に支持するリフタとを有し、
該計量器は、昇降バケットの計量時に上昇して下降位置にある上記昇降バケットの質量を計量可能に構成されている。
【００１１】
上記の構成によると、昇降バケットに廃棄物を投入後、リフタにより計量器を上昇させて昇降バケットの質量を計量し、その後、昇降バケットを上昇させて反転させ、昇降バケット内の廃棄物を廃棄物収集箱に収集する。このため、廃棄物の収集と廃棄物の計量とが一連の流れ作業で同時に行われる。また、昇降バケットの質量を計量しないときに、計量器を下降させることで、昇降バケットが下降してきたときに、昇降バケットが計量器に衝突しない。
【００１２】
第３の発明では、第２の発明において、
上記リフタは、
上方が開口したケーシングと、
上記ケーシングの開口を塞ぎ、上記計量器を支持する計量台と、
上記ケーシング内に設けられ、上記計量台を昇降させる昇降シリンダとを備えている。
【００１３】
上記の構成によると、昇降シリンダを伸縮させることで計量台が昇降される。このため、簡単な構成で計量器が上昇又は下降する。
【００１４】
第４の発明では、第３の発明において、
上記リフタは、
上記ケーシング内に設けたカム軸と、
一端が上記カム軸に回転一体に連結され、他端が上記昇降シリンダに回転可能に連結されたカム部材とを備え、該カム部材が揺動して上記計量台を昇降させるように構成されている。
【００１５】
上記の構成によると、昇降シリンダを伸ばすと、カム部材が揺動され、計量台が上昇する。このため、簡単な操作で計量器が確実に昇降されるとともに、昇降シリンダの力を伝えやすいので、質量の重い昇降バケットの支持も可能である。また、昇降シリンダを計量台の昇降方向に立てて設ける場合に比べて上下方向の高さが削減される。
【発明の効果】
【００１６】
以上説明したように、上記第１の発明によれば、廃棄物投入箱の下部に昇降バケットの質量を計量可能なバケット計量装置を設けたことにより、簡単且つ省スペースな構造で、廃棄物の収集と廃棄物の計量とを同時に行うことができるので、作業効率が大幅に向上する。
【００１７】
上記第２の発明によれば、バケット計量装置によって、昇降バケットの計量時に計量器を上昇させ、下降位置にある昇降バケットの質量を計量するようにしたことにより、昇降バケットが計量器に衝突するのを避けながら、廃棄物の収集と廃棄物の計量とを一連の流れ作業で極めて効率よく行うことができる。
【００１８】
上記第３の発明によれば、リフタのケーシング内に設けた昇降シリンダを伸縮させて計量台を昇降させるようにしたことにより、操作が簡単で安価なバケット計量装置が得られる。
【００１９】
上記第４の発明によれば、昇降シリンダを伸ばしてカム部材を揺動させ、計量台を上昇させるようにしたことにより、操作が簡単で力強く壊れにくいリフタが得られると共に、上下方向のスペースを小さくすることができる。
【発明を実施するための最良の形態】
【００２０】
以下、本発明の実施形態を図面に基づいて説明する。
【００２１】
−廃棄物収集車の構造−
図２乃至図４は、本発明の実施形態の廃棄物収集車１を示し、この廃棄物収集車１は、走行可能な車体２を有し、この車体２上には、後方開口部３を有する廃棄物収集箱４が搭載されている。この廃棄物収集箱４は、車体２に設けた傾動シリンダ５を伸縮させることにより、車体２後方の傾動軸６を中心に傾動可能（ダンプ可能）に構成されている。
【００２２】
上記後方開口部３の後面には、廃棄物投入箱７が後方開口部３を開閉可能に設けられている。すなわち、この廃棄物投入箱７は、後方開口部３に設けた回動シリンダ８を伸縮させることで、後方開口部３の上端に設けた回動軸９を中心に回動可能に支持され、このことで、後方開口部３を開閉可能となっている。廃棄物投入箱７の後面には、廃棄物を投入する投入口７ａが設けられている。廃棄物投入箱７の前壁７ｂの上側には、収集口７ｃが開口されている。
【００２３】
図１，図５及び図６に示すように、上記廃棄物投入箱７の内部には、反転投入装置１０が設けられている。この反転投入装置１０は、後方開口部３の横幅よりも若干狭い横幅を有する昇降バケット１１を備えている。
【００２４】
図７乃至図９に示すように、廃棄物投入箱７の左右内面には、上端が前方へ傾斜したガイド１２がそれぞれ設けられている。各ガイド１２の上下には、上プーリ１３と下プーリ１４とがそれぞれ回転自在に設けられ、これら上下プーリ１３，１４にワイヤ１５が掛けられている。
【００２５】
図９に示すように、廃棄物投入箱７の下端には、バケットシリンダ２０が左右に伸びるように配置されている。バケットシリンダ２０のシリンダ側は、後方から見て左側の廃棄物投入箱７の下面７ｄに固定され、左側端部に下プーリ１４と並列に左プーリ２１が回転自在に連結されている。バケットシリンダ２０のシリンダロッド２０ａの先端には、２枚の右プーリ２２が回転自在に連結されている。右プーリ２２は、バケットシリンダ２０の伸縮に伴い、左右に移動するようになっている。上記左右のワイヤ１５の先端１５ａには、スライダ２３がそれぞれ連結されている。右側のワイヤ１５の他端１５ｂは、上記上プーリ１３及び下プーリ１４を通って左プーリ２１を通過し、後側の右プーリ２２を通って廃棄物投入箱７の下端に固定されている。左側の他端１５ｂは、上記上プーリ１３及び下プーリ１４を通って前側の右プーリ２２を通過し、廃棄物投入箱７の下端に固定されている。左右のガイド１２には、後面側が開口するように、このガイド１２に沿ってガイド溝２４が形成され、ガイド溝２４内にスライダ２３が配置されている。このように構成することで、バケットシリンダ２０を伸縮させると、ワイヤ１５が巻き取られ、又は繰り出され、左右のガイド溝２４上をスライダ２３がそれぞれ昇降するようになっている。
【００２６】
上記左右のスライダ２３には、左右に伸びるバケット支持軸２５が回転自在に連結されている。このバケット支持軸２５には、昇降バケット１１の前面上側に突設したリブ１１ａが回転一体に連結されている。
【００２７】
上記ガイド１２のガイド溝２４の左右内側（左右いずれか一方でもよい）には、このガイド溝２４に沿ってガイドレール２８が形成されている。このガイドレール２８の上端部２８ａは、前方側へ鉤状に湾曲形成されている。このガイドレール２８内には、昇降アーム２６の一端に回転自在に連結されたガイドローラ２９が昇降自在に配置されている。昇降アーム２６の他端は、バケット支持軸２５に回転一体に挿入されている。
【００２８】
このように構成することで、バケットシリンダ２０を伸縮させるとスライダ２３が昇降し、そのことで、ガイドローラ２９もガイドレール２８内を昇降して昇降バケット１１が昇降すると共に、上端まで上昇した昇降バケット１１がガイドレール２８の上端部２８ａで反転されるようになっている。このため、昇降バケット１１が昇降及び反転可能となり、廃棄物投入箱７の投入口７ａから投入された廃棄物を収集口７ｃから廃棄物収集箱４に収集するようになっている。
【００２９】
図５、図６及び図１０に示すように、本発明の特徴として、廃棄物収集車１は、廃棄物投入箱７の下部に昇降バケット１１の質量を計量可能なバケット計量装置３０を備えている。このバケット計量装置３０は、廃棄物投入箱７の下面７ｄに載置されている。すなわち、投入口７ａの下端には、起伏自在な回転台１６が設けられ、その前側にバケット計量装置３０が配置されている。バケット計量装置３０は、昇降バケット１１の質量を計量する公知の計量器３１を備え、この計量器３１は、リフタ３２により昇降可能に支持されている。この計量器３１は、図示しないデジタル表示計に信号を送るように構成されている。このデジタル表示計は、計量結果を記憶可能に構成され、その場で廃棄物の合計を計算して印刷可能となっている。また、記憶した結果を事務所に持ち帰ることもできるようになっている。
【００３０】
上記リフタ３２は、上方が開口した平面視矩形状のケーシング３３を備えている、ケーシング３３は、鋼板で構成してもよいし、強化樹脂で構成してもよい。このケーシング３３の上端開口３３ａは、上記計量器３１を支持する計量台３４で閉じられている。この計量台３４は、ケーシング３３に載せられた矩形皿形の蓋よりなる。
【００３１】
上記ケーシング３３の前後側壁３３ｂには、一対のカム軸３５が前後方向に伸びるように回転自在に設けられている。各カム軸３５には、このカム軸３５と一体に回転するようにシリンダ側カム部材３６が連結されている。ケーシング３３は、前後に延びる左右隔壁３３ｃで区画され、この左右隔壁３３ｃに昇降シリンダ３７のチューブ側端部が回動可能に連結されている。シリンダ側カム部材３６の他端は、昇降シリンダ３７のシリンダロッド３７ａの先端に回転可能に連結されている。各カム軸３５の前後両端には、シリンダ側カム部材３６よりも腕部の短い計量台側カム部材３８がその腕部の位置をシリンダ側カム部材３６の位置とずらせて回転一体に連結されている。計量台側カム部材３８の先端には、押し上げローラ３９が回転自在に設けられ、この押し上げローラ３９が計量台３４裏面に当接して回転しながら計量台３４を押し上げるように構成されている。すなわち、リフタ３２は、各昇降シリンダ３７のシリンダロッド３７ａを伸縮させてシリンダ側カム部材３６及び計量台側カム部材３８を揺動させて計量台３４を昇降させるように構成されている。
【００３２】
計量台３４に計量器３１を載せた状態で下降位置にある昇降バケット１１の下面との間に高さｈの隙間ができている。このようにリフタ３２を構成することで、昇降バケット１１の計量時に計量器３１を、高さｈよりも上昇させて下降位置にある昇降バケット１１を押し上げることで、昇降バケット１１の質量を計量可能に構成されている。また、昇降シリンダ３７を水平に設けることで、計量台３４の昇降方向（上下方向）に立てて設ける場合に比べて上下方向の高さが削減されている。
【００３３】
−廃棄物収集車の作動−
次に、本実施形態にかかる廃棄物収集車１の作動について説明する。
【００３４】
廃棄物を収集するには、まず、図６に示すように、廃棄物投入箱７の投入口７ａを開き、回転台１６を後方に倒す。
【００３５】
次いで、ガイドレール２８の下端（下降位置）に位置する昇降バケット１１に魚のあらなどの廃棄物を放り込む。このとき、バケット計量装置３０のリフタ３２は、下降させているので、計量台３４が上端開口３３ａを閉じている。
【００３６】
次いで、左右の昇降シリンダ３７のシリンダロッド３７ａを伸ばしてシリンダ側カム部材３６及び計量台側カム部材３８を揺動させて計量台３４を昇降させる。このことで、廃棄物が投入された昇降バケット１１の質量が計量される。このため、簡単な操作で計量器３１が確実に昇降されるとともに、昇降シリンダ３７の力を伝えやすく、質量の重い昇降バケット１１の支持も可能である。なお、予め廃棄物を投入しない空の昇降バケット１１の質量を同様に計量して袋引き（ゼロ点調整）しておくとよい。計量結果をデジタル表示計に表示させると共に記憶させる。計量後、バケット計量装置３０のリフタ３２は下降させておく。
【００３７】
次いで、バケットシリンダ２０を伸ばしてワイヤ１５を引っ張り、スライダ２３を上昇させ、昇降バケット１１を上昇させる。ガイドローラ２９がガイドレール２８の上端部２８ａにさしかかると、昇降バケット１１は反転を開始し、中の廃棄物が収集口７ｃを通って廃棄物収集箱４に投入される。
【００３８】
次いで、バケットシリンダ２０を縮めてワイヤ１５を繰り出し、スライダ２３を下降させ、昇降バケット１１を下降位置まで下降させる。この一連のサイクルが繰り返される。
【００３９】
廃棄物を収集後、記憶させたデータを集計して印刷し、その場で廃棄物の回収を依頼した業者に手渡す。記憶したデータは、事務所に持ち帰って集計作業を行ってもよい。
【００４０】
このように、廃棄物の収集と廃棄物の計量とが一連の流れ作業で同時に行われる。また、昇降バケット１１の質量を計量しないときに、計量器３１を下降させることで、昇降バケット１１が下降してきたときに、昇降バケット１１が計量器３１に衝突しないので、計量器３１の故障が防止される。
【００４１】
また、廃棄物投入箱７内のバケット計量装置３０によって、昇降バケット１１の質量を計量可能であるので、別途計量器３１を用意する必要がない。
【００４２】
さらに、バケット計量装置３０を廃棄物投入箱７内に設けたので、新たにスペースを必要とせず、廃棄物収集車１の外形が大きくなることはない。
【００４３】
なお、廃棄物が満杯になり、又は、収集ルートを回り終えた廃棄物収集箱４内の廃棄物を廃棄物処理場で排出するには、まず、図２に二点鎖線で示すように、回動シリンダ８を伸ばして廃棄物投入箱７を回動軸９を中心に回動させ、後方開口部３を開く。
【００４４】
次いで、図３に示すように、車体２に設けた傾動シリンダ５を伸ばして傾動軸６を中心に廃棄物収集箱４を傾動させて排出する。
【００４５】
−実施形態の効果−
したがって、本実施形態にかかる廃棄物収集車１によると、廃棄物投入箱７の下部に昇降バケット１１の質量を計量可能なバケット計量装置３０を設けたことにより、簡単且つ省スペースな構造で、廃棄物の収集と廃棄物の計量とを同時に行うことができるので、作業効率が大幅に向上する。
【００４６】
上記実施形態では、バケット計量装置３０によって、昇降バケット１１の計量時に計量器３１を上昇させ、下降位置にある昇降バケット１１の質量を計量するようにしたことにより、昇降バケット１１が計量器３１に衝突するのを避けながら、廃棄物の収集と廃棄物の計量とを一連の流れ作業で極めて効率よく行うことができる。
【００４７】
上記実施形態では、リフタ３２のケーシング３３内に設けた昇降シリンダ３７を伸縮させてワイヤ１５を巻き取り又は繰り出して計量台３４を昇降させるようにしたことにより、操作が簡単で安価なバケット計量装置３０が得られる。
【００４８】
上記実施形態では、昇降シリンダ３７を伸ばしてシリンダ側カム部材３６及び計量台側カム部材３８を揺動させ、計量台３４を上昇させるようにしたことにより、操作が簡単で力強く壊れにくいリフタ３２が得られると共に、上下方向のスペースを小さくすることができる。
【００４９】
（その他の実施形態）
本発明は、上記実施形態について、以下のような構成としてもよい。
【００５０】
すなわち、上記実施形態では、スライダ２３の昇降をバケットシリンダ２０の伸縮によりワイヤ１５を操作して行ったが、ウインチを用いて行ってもよい。また、リンク機構により、昇降バケット１１を昇降及び反転させてもよい。
【００５１】
上記実施形態では、リフタ３２は、カム部材３６，３８を用いて構成したが、上下に伸びるシリンダで計量第３４を直接昇降させてもよい。しかし、カム部材３６，３８を用いることで、高さ方向のスペースが小さくて済む。
【００５２】
なお、以上の実施形態は、本質的に好ましい例示であって、本発明、その適用物や用途の範囲を制限することを意図するものではない。
【図面の簡単な説明】
【００５３】
【図１】反転投入装置の概要を示す側面図である。
【図２】本実施形態にかかる廃棄物収集車の側面図である。
【図３】廃棄物収集箱をダンプさせた様子を示す図２相当図である。
【図４】廃棄物収集車の背面図である。
【図５】反転投入装置の概要を示す斜視図である。
【図６】反転投入装置を後方から見た斜視図である。
【図７】昇降バケットが上昇する様子の概要を示す側方断面図である。
【図８】昇降バケットが反転する様子の概要を示す側方断面図である。
【図９】反転投入装置のワイヤリングの概要を示す斜視図である。
【図１０】バケット計量装置の断面図である。
【符号の説明】
【００５４】
１      廃棄物収集車
２      車体
３      後方開口部
４      廃棄物収集箱
７      廃棄物投入箱
７ａ    投入口
１０      反転投入装置
１１      昇降バケット
３０      バケット計量装置
３１      計量器
３２      リフタ
３３      ケーシング
３３ａ    上端開口
３４      計量台
３５      カム軸
３６      シリンダ側カム部材
３７      昇降シリンダ
【図１】
2008308290.tif 000003
【図２】
2008308290.tif 000004
【図３】
2008308290.tif 000005
【図４】
2008308290.tif 000006
【図５】
2008308290.tif 000007
【図６】
2008308290.tif 000008
【図７】
2008308290.tif 000009
【図８】
2008308290.tif 000010
【図９】
2008308290.tif 000011
【図１０】
2008308290.tif 000012